(57)【要約】【課題】モップ本体と、該モップ本体へ着脱自在に基端部を嵌合させた柄部材とからなるモップを、柄部材に対してモップ本体を縦向きとしても、又横向きとしても使用できるようにすると共に、上記着脱を容易かつ確実とした。【解決手段】モップ本体１と柄部材基端部１９との一方へ第１係合手段としてのピン軸７，　７を、他方へ第２係合手段としての通路２２付き軸孔２１を形成すると共に、それ等第１、第２係合手段のうちの一方は左右一対とし、かつ他方は左右および前後二対として、該他方二対のうちのいずれに対しても、上記一方の一対を、通路２２内強制通過による軸孔２１内へのピン軸嵌合が可能とした。【選択図】　図２
2004057575.tif 000002
【特許請求の範囲】
【請求項１】
モップ本体１と、該モップ本体へ基端部１９を着脱自在に嵌合させた柄部材１１とからなるモップにおいて、
それ等モップ本体１と柄部材基端部との一方には、第１係合手段としてのピン軸７，７を、他方には第２係合手段としての通路２２付き軸孔２１を、
又それ等第１、第２係合手段のうち、一方は左右一対とし、かつ他方は左右および前後二対として形成し、
上記他方二対のうちのいずれの一対に対しても、上記一方の一対を、通路２２内強制通過による軸孔２１内へのピン軸７，７嵌合が可能に形成した
ことを特徴とするモップ。
【請求項２】
上記モップ本体１上面へ開口させて垂設した縦筒６の内壁面ないしモップ本体上面から起立させた突部の内面ないし外面から、左右および前後各一対をなす二対のピン軸７，　７を突出させると共に、柄部材基端部の左右側板を下方へ延出して、下端面開口の通路２２を有する軸孔２１，２１　付きの軸受け２０，２０　に形成し、
上記二対ピン軸のうちのいずれの一対ピン軸に対しても、前後又は左右両ピン軸上面へ通路２２の下端開口を当てた状態から基端部１９を押下げることで両ピン軸が軸孔２１，２１　内へ嵌合可能に形成した
ことを特徴とする請求項１記載のモップ。
【請求項３】
上記通路１６を入口部巾広のテーパ状として、入口開口巾をピン軸７直径以上に、かつ軸孔２１との連通開口巾をピン軸直径よりも小とした
ことを特徴とする、請求項１又は２記載のモップ。
【請求項４】
軸孔内に嵌合する両ピン軸７，　７を中心として、モップ本体１に対して柄部材１１が適宜範囲で上下方向へ回動可能に形成した
ことを特徴とする、請求項１、２又は３記載のモップ。
【請求項５】
上記柄部材１１を、基端部１９を有する第１柄部１２と、該第１柄部先端へ基端を枢着させて第１柄部に対して折畳みおよび折伸ばし可能に形成した第２柄部１３とで形成した
ことを特徴とする、請求項１、２、３又は４記載のモップ。
【発明の詳細な説明】
【０００１】
【発明の属する技術分野】
本発明はモップに関する。
【０００２】
【従来の技術】
例えば特開平１１−９９１１５号のモップは、モップ本体と柄部材とを玉継手機構により連結している。
【０００３】
【発明が解決しようとする課題】
モップ本体に対して柄部材は相当長く形成することとなるから、輸送時等にあってはモップ本体に対して柄部材は着脱自在として別包装できることが望ましい。又比較的狭い場所でのモップ使用の際は、モップ本体の横巾が長すぎたり、又柄部材が邪魔となることもある。
【０００４】
本発明はモップ本体に対する柄部材の着脱を容易として、輸送時等における包装が嵩ばらないようにすると共に、柄部材に対してモップ本体を横向き、或いは縦向きに装着させ、又柄部材を外した状態ででも使用できるよう設けたものである。
【０００５】
【課題を解決するための手段】
第１の手段としてモップ本体１と、該モップ本体へ基端部１９を着脱自在に嵌合させた柄部材１１とからなるモップにおいて、
それ等モップ本体１と柄部材基端部との一方には、第１係合手段としてのピン軸７，７を、他方には第２係合手段としての通路２２付き軸孔２１を、
又それ等第１、第２係合手段のうち、一方は左右一対とし、かつ他方は左右および前後二対として形成し、
上記他方二対のうちのいずれの一対に対しても、上記一方の一対を、通路２２内強制通過による軸孔２１内へのピン軸７，７嵌合が可能に形成した。
【０００６】
第２の手段として、上記第１の手段を有すると共に上記モップ本体１上面へ開口させて垂設した縦筒６の内壁面ないしモップ本体上面から起立させた突部の内面ないし外面から、左右および前後各一対をなす二対のピン軸７，　７を突出させると共に、柄部材基端部の左右側板を下方へ延出して、下端面開口の通路２２を有する軸孔２１，２１　付きの軸受け２０，２０　に形成し、
上記二対ピン軸のうちのいずれの一対ピン軸に対しても、前後又は左右両ピン軸上面へ通路２２の下端開口を当てた状態から基端部１９を押下げることで両ピン軸が軸孔２１，２１　内へ嵌合可能に形成した。
【０００７】
第３の手段として、上記第１、又は第２の手段を有すると共に上記通路１６を入口部巾広のテーパ状として、入口開口巾をピン軸７直径以上に、かつ軸孔２１との連通開口巾をピン軸直径よりも小とした。
【０００８】
第４の手段として、上記第１、第２又は第３の手段を有すると共に軸孔内に嵌合する両ピン軸７，　７を中心として、モップ本体１に対して柄部材１１が適宜範囲で上下方向へ回動可能に形成した。
【０００９】
第５の手段として、上記第１、第２、第３又は第４の手段を有すると共に上記柄部材１１を、基端部１９を有する第１柄部１２と、該第１柄部先端へ基端を枢着させて第１柄部に対して折畳みおよび折伸ばし可能に形成した第２柄部１３とで形成した。
【００１０】
【発明の実施の形態】
以下図１から図５が示す第１実施形態について説明すると、本発明モップはモップ本体と柄部材とで形成している。
【００１１】
モップ本体１は、左右方向に長い長方形状をなし、その頂壁２の左右両部前後の四隅部近辺を、円形の肉薄部３とし、かつ該肉薄部中心から切割り線４を放射線状に穿設してそれ等切割り線間の肉薄部を弾性挟持片５としている。
【００１２】
又モップ本体上面の中央部に正方形状の縦孔を開口させて該開口周縁から縦筒６を垂下し、該縦筒内面から第１係合手段としての左右および前後各一対をなす、二対のピン軸７を内方へ突出させている。
【００１３】
柄部材１１は、図示例において第１柄部１２と第２柄部１３とを折畳みおよび折伸ばし自在に枢着させて形成している。それ等両柄部は、共に頂壁１４の左右両側から側板１５を垂下させて形成し、第１柄部１２の先端部外面へ第２柄部１３を嵌合させ、それ等両柄部の側板重合せ部分を軸１５で枢着させて、その軸を中心とする第２柄部１３の回動により図１、図２および図４が示すように第１柄部１２下面へ第２柄部１３が嵌合し、又図４が二点鎖線で示すように第１柄部１２後方向へ第２柄部を折伸ばし可能に形成している。
【００１４】
図示例にあっては第１柄部頂壁１４の後端部に通路１６付きの軸孔１７を穿設し、又第２柄部１３の前端部頂壁１４には先端部大外径のピン軸１８を植設して、第２柄部折伸ばし時にピン軸１８が上記通路１６を強制通過して軸孔１７内へ嵌合し、又折畳み時には再びピン軸１８が通路１６内を強制通過して軸孔１７内から外れるよう設けている。上記通路はその強制通過のため入口部が巾広のテーパ状としてあり、入口部の開口巾はピン軸直径よりも大きく、かつ軸孔との連通部分開口巾はピン軸直径よりも狭くしている。
【００１５】
第１柄部１２前端の基端部１９は、斜下前方へ屈曲させており、かつその左右両側板を下方へ延長させ、該延長部分を軸孔付きの軸受け２０，２０　としている。その軸孔２１は、軸受け下面へ開口する通路２２，２２　付きで、その通路は下端開口巾を既述ピン軸７，　７の直径よりも巾広とし、かつ軸孔２１，２１　との連通部の巾を上記直径よりも狭く設けている。その通路付き軸孔を第２係合手段とする。
【００１６】
モップ本体１に対する柄部材１１の取付けは次のように行う。
【００１７】
図１と図３とが示すように、上記軸受け２０，２０　をモップ本体の縦筒６内へ挿入させ、該縦筒内の左右ピン軸７，　７上面へ上記通路２２下端開口を当て、そのまま柄部材基端部１９を押下げする。すると軸受け２０，２０　の前後両部分は弾性に抗し拡開されてピン軸７が通路狭小部分を通り抜け、軸孔１７，１７　内へ嵌合する。尚該嵌合状態において、軸受け２０，２０　の前後両面と縦筒６の前後両壁内面８，　８との間には適宜間隙が形成され、よって該状態でモップ本体１に対して柄部材１１は上記ピン軸７，　７を中心として適宜範囲で上下動できるよう設けている。
【００１８】
モップ本体１からの柄部材１１基端部の取外しは、上記嵌合状態から柄部材基端部を強制的に引上げればよく、すると通路狭小部分が弾性に抗し拡開することで引抜くことが出来る。
【００１９】
モップ本体に対する柄部材取付けは図５が示すように、モップ本体を縦長に向きを変えて前後のピン軸７，　７に、柄部材の左右軸孔２１，２１　を嵌合させて、モップ本体と柄部材との各長手方向を揃えることも出来る。
【００２０】
図６は、モップ本体１の第１変形例を示す。該変形例にあっては、モップ本体頂壁２の上面中央部から左右前後の四箇の突部３１を起立させ、各突部内面からピン軸７を内方へ突出させた。
【００２１】
又図７は、モップ本体の第２変形例を示す。この場合はモップ本体頂壁の中央部から上方からみて正方形状の短柱３２を起立させ、該短柱の前後および左右からそれぞれピン軸７を外方へ突出させた。
【００２２】
上記図６の場合も、又図７の場合も、第１実施形態の場合と同様に設けた柄部材軸受けの通路２２の入口を、左右ないし前後のピン軸７，　７上面へ当て、そのまま柄部材基端部押下げにより軸孔１７，１７　内へ強制嵌合でき、又強制引上げにより軸孔内からピン軸７，　７が抜出し可能とする。
【００２３】
図８は第２実施形態を示す。該実施形態にあっては、モップ本体頂壁２の中央部から左右および前後各一対の軸受け３３を、左右間の間隔および前後間の間隔を等しくして起立させ、それ等軸受けが有する軸孔２１への通路２２を各軸受け上面へ開口させた。その通路も上面入口巾を広く、軸孔との連通部を狭く形成し、後述ピン軸直径よりも入口巾は大きく、連通部は小さく形成している。
【００２４】
柄部材１１基端部の左右両側板からは延長板３４，３４　を垂下させ、これ等両延長板の下部外面からピン軸７，　７を左右外方へ突出させる。これ等両延長板３４，３４　の外面間隔は、上記左右両軸受け３３ないし前後両軸受けの内面間隔とほぼ等しく設けておき、既述のように、左右ないし前後いずれの軸孔内へも、ピン軸７，　７を強制押下げにより嵌合させ、又強制引抜きが可能としている。
【００２５】
尚上記ピン軸７，　７は延長板３４，３４　内面から内方へ突出させ、又両延長板の内面間隔を左右ないし前後軸受けの外面間隔をほぼ等しくして両ピン軸を左右ないし前後軸受けの軸孔内へ嵌合させるよう設けてもよい。
【００２６】
モップ本体１下面へは直接拭き取り用の布等を付設してもよく、又モップ本体下面へ布状シート３５を張り、該シート四隅部をモップ本体上面へ折返して既述複数の弾性挟持片５により挟持させてもよい。
【００２７】
モップ本体１および柄部材１１は、それぞれ合成樹脂材で成形している。
【００２８】
【発明の効果】
本発明は既述構成とするものであり、請求項１又は２記載のようにすることで、モップ本体と柄部材との着脱が容易となって、それ等を分離して収納したり、輸送等でき、又モップ本体に対する柄部材の取付けを、モップ本体を横向きとした状態、つまりモップ本体と柄部材基端部との枢着をモップ本体左右方向で行った状態にでも、又モップ本体を縦向き、つまり上記枢着をモップ本体前後両部で行った状態ででも使用できる便利がある。
【００２９】
請求項３のようにすることで、モップ本体と柄部材との着脱をより簡易かつ確実とすることが出来る。
【００３０】
請求項４のようにすることで、モップ操作が容易となる。
【００３１】
請求項５のようにすることで、柄を長くしたり、短かくして使用できる便利がある。
【図面の簡単な説明】
【図１】本発明モップの斜視図である。
【図２】図１モップの分解斜視図である。
【図３】モップ本体と柄部材との嵌合部を示す断面図である。
【図４】図１モップの柄部材を形成する第１柄部と第２柄部との連結部分の断面図である。
【図５】縦向きとしたモップ本体に柄部材を装着させて示す、斜視図である。
【図６】モップ本体を第１変形例で示す斜視図である。
【図７】モップ本体を第２変形例で示す斜視図である。
【図８】第２実施形態で示す、モップの分解斜視図である。
【符号の説明】
１…モップ本体　　　　　　　　　　５…弾性挟持片
６…縦筒　　　　　　　　　　　　　　　　　７…ピン軸
１１…柄部材　　　　　　　　　　　　　　１２…第１柄部
１３…第２柄部　　　　　　　　　　　　　　　１６…通路
１７…軸孔　　　　　　　　　　　　　　　　　　　　　　１８…ピン軸
２０…軸受け　　　　　　　　　　　　　　　２１…軸孔
２２…通路　　　　　　　　　　　　　　　　３１…突部
３２…短柱　　　　　　　　　　　　　　　　　　　３３…軸受け
３４…延長板
【図１】
2004057575.tif 000003
【図２】
2004057575.tif 000004
【図３】
2004057575.tif 000005
【図４】
2004057575.tif 000006
【図５】
2004057575.tif 000007
【図６】
2004057575.tif 000008
【図７】
2004057575.tif 000009
【図８】
2004057575.tif 000010